(57)【要約】【課題】カーテン又は壁が被照射物となる間接照明装置において、放熱効果が高い間接照明装置を提供すること。【解決手段】複数のＬＥＤランプと、レンズと、及び金属製の保持部材とを備え、カーテン又は壁が被照射物となる間接照明装置であって、前記保持部材は、前記被照射物の幅方向に延在する第１側壁部と、前記第１側壁部よりも前記被照射物側に位置し、前記幅方向に延在する第２側壁部と、前記第１側壁部と前記第２側壁部とを連結し、前記複数のＬＥＤランプが前記幅方向に沿って線状に配置される底壁部と、前記複数のＬＥＤランプの光放出側に、前記第１側壁部に連続して設けられる反射部と、及び前記底壁部の前記ＬＥＤランプが配置される面の裏面側に、前記底壁部に連続して設けられる放熱部と、を有し、前記レンズは前記複数のＬＥＤランプの光放出側を覆うように、前記第１側壁部と前記第２側壁部との間に設けられる、間接照明装置。【選択図】図２
2009283167.tif 000002
【特許請求の範囲】
【請求項１】
複数のＬＥＤランプと、レンズと、及び金属製の保持部材とを備え、カーテン又は壁が被照射物となる間接照明装置であって、
前記保持部材は、
前記被照射物の幅方向に延在する第１側壁部と、
前記第１側壁部よりも前記被照射物側に位置し、前記幅方向に延在する第２側壁部と、
前記第１側壁部と前記第２側壁部とを連結し、前記複数のＬＥＤランプが前記幅方向に沿って線状に配置される底壁部と、
前記複数のＬＥＤランプの光放出側に、前記第１側壁部に連続して設けられる反射部と、及び
前記底壁部の前記ＬＥＤランプが配置される面の裏面側に、前記底壁部に連続して設けられる放熱部と、
を有し、
前記レンズは前記複数のＬＥＤランプの光放出側を覆うように、前記第１側壁部と前記第２側壁部との間に設けられる、
間接照明装置。
【請求項２】
前記ＬＥＤランプは、それに搭載されるＬＥＤチップあたり１００ｍＡ〜１Ａの電流で駆動することを特徴とする、請求項１に記載の間接照明装置。
【請求項３】
前記レンズに光拡散処理が施されていることを特徴とする、請求項１又は２に記載の間接照明装置。
【請求項４】
前記放熱部が前記幅方向に平行な複数のフィンを有することを特徴とする、請求項１〜３のいずれか一項に記載の間接照明装置。
【発明の詳細な説明】
【技術分野】
【０００１】
本発明はＬＥＤランプを使用する間接照明装置の改良に関する。
【背景技術】
【０００２】
カーテン又は壁が被照射物となる間接照明装置において、その光源として蛍光灯が広く使用されている（例えば、特許文献１）。また、光源としてＬＥＤランプを使用する照明装置が特許文献２に開示されている。
【０００３】
【特許文献１】実開昭６２−５３５２２号公報
【特許文献２】特開２００５−１７７１４９号公報
【発明の開示】
【発明が解決しようとする課題】
【０００４】
特許文献１の照明装置では光源として蛍光灯を使用するため、装置が大型化している。特許文献２の照明装置のように、光源としてＬＥＤランプを使用すれば装置を小型化できる。
ところで、室内で使用する間接照明装置は、通常の室内照明（直接照明）装置と併用されることがあるが、間接照明装置の輝度が低いと、通常の室内照明の光によって、間接照明の光が視認されなくなり間接照明の効果がほとんど得られない。そこで間接照明装置においても高輝度化が求められる。高輝度化の一つの方法として、大電流で駆動するＬＥＤランプ（大電流駆動型ＬＥＤランプ）を使用することが考えられる。しかし、特許文献２の照明装置に大電流駆動型ＬＥＤランプを使用すれば、ＬＥＤランプのための特別な放熱構造を有していないため、装置が過熱し信頼性が低下する。即ち、十分な信頼性を確保した上で高輝度化することは困難である。
一方、特許文献２の照明装置では、ＬＥＤランプ用に特別の光学制御機構を備えていない。そのためカーテン等の被照射物は均一に照明されず、輝度ムラが生じる。この問題に対処するために、点光源であるＬＥＤランプの光を線状光に変換することが考えられる。例えば、ＬＥＤランプの光を導光棒の端面から導入して、その側面から放射させて線状光を生成することができる。この構成を間接照明装置に採用すると、輝度ムラは解消されるものの、ＬＥＤランプが導光棒の端面側にのみ設けられるため、光量が不足する。特に導光棒が長尺になるほど光量が不足することから、カーテン等の長尺のものを照明する場合には適さない。
そこで本発明は、カーテン又は壁が被照射物となる間接照明装置において、放熱効果が高い間接照明装置を提供することを目的の一つとする。さらに高輝度な発光態様を呈する間接照明装置を提供することを目的の一つとする。また、輝度ムラの少ない間接照明光を生成する間接照明装置を提供することを目的の一つとする。
【課題を解決するための手段】
【０００５】
上記課題を解決するため、本発明は次の構成からなる。即ち、
複数のＬＥＤランプと、レンズと、及び金属製の保持部材とを備え、カーテン又は壁が被照射物となる間接照明装置であって、
前記保持部材は、
前記被照射物の幅方向に延在する第１側壁部と、
前記第１側壁部よりも前記被照射物側に位置し、前記幅方向に延在する第２側壁部と、
前記第１側壁部と前記第２側壁部とを連結し、前記複数のＬＥＤランプが前記幅方向に沿って線状に配置される底壁部と、
前記複数のＬＥＤランプの光放出側に、前記第１側壁部に連続して設けられる反射部と、及び
前記底壁部の前記ＬＥＤランプが配置される面の裏面側に、前記底壁部に連続して設けられる放熱部と、
を有し、
前記レンズは前記複数のＬＥＤランプの光放出側を覆うように、前記第１側壁部と前記第２側壁部との間に設けられる、
間接照明装置である。
【発明の効果】
【０００６】
本発明の間接照明装置では、放熱部が保持部と一体的に、且つ、ＬＥＤランプが配置される面の裏面側というＬＥＤランプの近傍領域に設けられる。これにより、ＬＥＤランプの熱が効率的に放熱部へ伝播して、放熱効果が向上する。保持部材は金属製であるため、ＬＥＤランプの熱が効率的に伝播されて放熱効果がさらに向上する。このように放熱効果が向上することにより、装置の信頼性が高まる。一方、保持部材は反射部、放熱部を一体的に備えるため、これらを別体で設ける場合に比べてコンパクトな構成となる。その結果、部品点数が削減して、製造コストが低下するとともに、組み付け作業の効率が向上する。さらに、レンズがＬＥＤランプの光放出側を覆っているため、防塵効果を奏する。
【発明を実施するための最良の形態】
【０００７】
（ＬＥＤランプ）
本発明の間接照明装置では光源としてＬＥＤランプを使用する。ＬＥＤランプは小型であること、駆動電力が小さいこと、発熱量が少ないこと、長寿命であることなど様々な利点を有する。ＬＥＤランプの種類は特に限定されず、表面実装（ＳＭＤ）タイプ、砲弾タイプ（レンズタイプ）、チップオンボード（ＣＯＢ）タイプ等、種々のタイプのＬＥＤランプを採用できる。ＳＭＤタイプを採用することが好ましい。ＳＭＤタイプは小型であるため、装置の小型化に寄与するからである。ＬＥＤランプは大電流で駆動して高輝度の光を放出する、いわゆる大電流駆動型のＬＥＤランプであることが好ましい。間接照明装置の放出光が高輝度化するからである。例えば、ＬＥＤランプに搭載されるＬＥＤチップあたり約１００ｍＡ〜約１Ａの電流で駆動するＬＥＤランプを使用することができる。ＬＥＤランプの発光色は任意に選択できる。例えば、白色、アンバー、赤、緑、青等の可視領域の発光波長を有するＬＥＤランプを採用できる。ＬＥＤチップの光の一部を蛍光体で波長変換し、ＬＥＤチップの光と蛍光とが混合した光を放射するＬＥＤランプを使用することもできる。蛍光体は例えばＬＥＤランプの封止樹脂に含有させることができる。封止樹脂の表面に蛍光体を含む層を設けてもよい。
【０００８】
同種又は異種のＬＥＤチップが複数個内蔵されたＬＥＤランプを光源として使用することもできる。例えば、赤、緑、青の各色のＬＥＤチップを一つの基板上にマウントしたＬＥＤランプ（３ｉｎ１ＬＥＤランプ）を用い、各ＬＥＤチップの発光態様を制御すれば、所望の色を発光させることができる。これにより、所望の発光色で発光する間接照明装置を構成することができる。例えば、電球色で発光する間接照明装置とすることができる。
【０００９】
（保持部材）
保持部材はアルミ、銅等の金属製である。保持部材は押出成形などの公知の方法で成形することができる。保持部材は、第１側壁部、第２側壁部、底壁部、反射部、及び放熱部を一体的に有する。第１側壁部は被照射物であるカーテン又は壁（以下、本明細書では「カーテン等」ともいう）の幅方向に延在する。第２側壁部は第１側壁部よりもカーテン等側に位置し、カーテン等の幅方向に延在する。底壁部は第１側壁部と第２側壁部とを連結する。底壁部には複数のＬＥＤランプがカーテン等の幅方向に沿って線状に配置される。例えば、第１側壁部、第２側壁部及び底壁部によってコの字状に形成して、底壁部の内側面（第１側壁部側及び第２側壁部側に向く面）に複数のＬＥＤランプをカーテン等の幅方向に沿って線状に配置することができる。なお、ＬＥＤランプを配置する間隔は特に限定されず、所定の間隔で配置することができる。第１側壁部と第２側壁部は、通常、底壁部に垂直であるがこれに限定されず、ＬＥＤランプの光の放出を妨げない範囲で壁側又は室内側に傾斜していてもよい。なお、ここでいう「室内側」とは本発明の間接照明装置に対して、被照射物であるカーテン等の反対側を示す。第１側壁部と第２側壁部は通常平面であるがこれに限定されず、ＬＥＤランプの光の放出を妨げない範囲で壁側又は室内側に緩やかに湾曲する曲面であってもよい。第１側壁部及び第２側壁部の形状はカーテン等の幅方向に一様であってもよいし、第１側壁部又は第２側壁部の一部が既述のように傾斜又は湾曲していてもよい。
【００１０】
反射部は複数のＬＥＤランプの光放出側に、前記第１側壁部に連続して設けられる。反射部の形状は例えば、次の形状とすることができる。即ち、幅方向に垂直な断面において、保持部材の第１側壁部のＬＥＤランプの光放出側の先端が、第２側壁部のＬＥＤランプの光放出側の先端よりもＬＥＤランプから遠位に位置するように延長させて、当該延長した部分を反射部とすることができる。このような反射部により、ＬＥＤランプの放出光の内、室内側に進行する光の一部がカーテン等に反射される。その結果、カーテン等側に進行する光量が増して、間接照明光の輝度が向上する。反射部の形状はＬＥＤランプの光をカーテン等側へ反射する形状であればよい。例えば、第１側壁部と平行な平面形状であってもよいし、反射部の一部がカーテン等側に傾斜又は湾曲した形状であってもよい。
【００１１】
放熱部はＬＥＤランプが配置される面の裏面に、底壁部に連続して設けられる。放熱部の形状は特に限定されない。例えば、フィンやピンを複数備える形状とすることができる。このような形状とすれば表面積が増加して放熱効果が向上する。一実施態様では放熱部の形状は、底壁部に平行なフィンが等間隔で複数枚積層された形状とすることができる。
【００１２】
（レンズ）
ＬＥＤランプの光放出側にはレンズが設けられる。レンズの材質は透明性を有する材質であれば特に限定されない。例えば、アクリル樹脂、シリコン樹脂、ガラス等を例示できる。中でも、アクリル樹脂製とすることが好ましい。アクリル樹脂は光透過率が高く、成形が容易で強度に優れるため、取り扱い易いからである。レンズの外側表面に光拡散処理を施すことが好ましい。光拡散処理は例えば、シボ加工、ブラスト処理などの表面加工や、光反射性インクの塗布又は印刷、光反射性のテープ又はフィルムの貼付など、公知の方法を採用することができる。なお、レンズは無色透明の他、有色透明であってもよい。また、レンズに光拡散材を含有させて、レンズ内で積極的に光を拡散させても良い。光拡散材は、例えば所定の粒径を有するガラス、アルミなどの金属、レンズの材質と光の屈折率の異なる樹脂などを採用することができる。拡散材はレンズに均一に分布させることが好ましい。拡散作用が均一となり輝度ムラの発生を一層防止できるからである。
一方、レンズに色変換材を含有させることができる。レンズに使用される色変換材は、ＬＥＤランプの発光色を考慮して、特定の波長域の光を吸収する吸収材や、特定の波長域の光で励起されて蛍光を発する蛍光材などを採用することができる。例えば、光源として白色ＬＥＤランプを使用し、色変換材として約４００ｎｍ〜約８００ｎｍの波長の光（赤色系以外の光）を吸収する吸収材を使用することにより、白色ＬＥＤランプの光を電球色に近い色の光に変換することができる。なお、レンズは型成形、切削等の公知の方法で成型することができる。
以下、実施例に基づき本発明をより詳細に説明する。
【実施例１】
【００１３】
本発明の実施例である間接照明装置１の斜視図を図１に示し、図１におけるＡ−Ａ線断面図を図２に示す。間接照明装置１は、カーテン２に光を照射して室内を間接的に照明する間接照明装置である。図１に示すように、室内の壁３にカーテンレールボックス４が設けられる。カーテンレールボックス４は、カーテンレール４１と左右２個の間接照明装置１を備える。図２に示すように、カーテンレール４１はカーテンレールボックス４内側の底部に取り付けられ、フック４２を介してカーテン２を懸架している。間接照明装置１はカーテンレールボックス４内側の室内側壁面に取り付けられる。図２から間接照明装置１を抜き出した拡大図を図３に示す。図３に示すように、間接照明装置１は保持部材１０、ＬＥＤランプ１１、基板１２、レンズ１３を備える。保持部材１０はアルミ製で押出成形により形成される。保持部材１０の概略形状は、カーテンレールボックス４の長手方向（即ち、カーテン２の幅方向）に沿う略棒状であって、その幅方向の長さは約９００ｍｍである。図３に示すように、保持部材１０は、第１側壁部１０ａ、第２側壁部１０ｂ、底壁部１０ｃ、反射部１４、及び放熱部１５を備える。第１側壁部１０ａと第２側壁部１０ｂは底壁部１０ｃによって連結されている。第１側壁部１０ａは壁３に平行であって、底壁部１０ｃに対して室内側に位置する。第２側壁部１０ｂも壁３に平行であって、第２側壁部１０ｂは底壁部１０ｃに対してカーテン２側に位置する。底壁部１０ｃは壁３に垂直である。第１側壁部１０ａ、第２側壁部１０ｂ及び底壁部１０ｃは長手方向に一様に形成されている。図３に示す縦断面において、第１側壁部１０ａ、第２側壁部１０ｂ及び底壁部１０ｃはコの字状を形成している。底壁部１０ｃの内側面（第１側壁部１０ａ及び第２側壁部１０ｂ側の面）には、ＬＥＤランプ１１が幅方向に線状に約４０ｍｍの間隔で基板１２を介して、２０個配置されている。ＬＥＤランプ１１は電球色発光の表面実装型ＬＥＤランプであって、ＬＥＤランプ１１に搭載されるＬＥＤチップあたり約１００ｍＡ〜約１Ａの電流で駆動して高輝度の光を放出する、いわゆる大電流駆動型のＬＥＤランプである。その光軸１１ａが壁３に平行でかつ地面に対して鉛直となっている。即ち、第１側壁部１０ａ、第２側壁部１０ｂ及び底壁部１０ｃにより形成されるコの字の開口側（図３において紙面下方側）に向くように配置される。
【００１４】
ＬＥＤランプ１１の光放出側にはレンズ１３が設けられる。第２側壁部１０ｂのＬＥＤランプ１１の光放出方向（図３において紙面下方）の先端近傍に凹部１６が設けられており、第１側壁部１０ａには凹部１６に対向する位置に凹部１７が設けられている。レンズ１３は凹部１６、１７に係合するように第１側壁部１０ａと第２側壁部１０ｂの間に固定されている。これにより、レンズ１３がＬＥＤランプ１１の光放出側の略全域を覆っている。レンズ１３はアクリル製の平板であって、レンズ１３の外側面の略全面にシボ加工が施されている。
反射部１４は第１側壁部１０ａに連続して形成されている。反射部１４は第１側壁部１０ａを延長して形成されており、第１側壁部１０ａと平行である。反射部１４の内側面（カーテン２側の面）は鏡面加工が施されている。
【００１５】
保持部材１０の底壁部１０ｃの外側（ＬＥＤランプ１１が配置される面の裏面側）には放熱部１５が設けられている。放熱部１５の材質は、保持部材１０と同一の材質のアルミであって、保持部材１０と連続して形成されている。放熱部１５は、保持部材１０の第１側壁部１０ａを上方に延長して形成された放熱部基部１５ａと、放熱部基部１５ａに垂直でかつ底壁部１０ｃに平行に形成された４個の放熱フィン１５ｂとを備える。４個の放熱フィン１５ｂは所定間隔の空隙をもって積層され、放熱部基部１５ａで固定されている。
【００１６】
次に間接照明装置１の照明態様を説明する。ＬＥＤランプ１１の光は、まずレンズ１３を透過して保持部材１０内から外部へ放出される。放出光の一部はカーテン２側に進行してカーテン２に直接照射する（図２のａ及びｂで示す光）。放出光の他の一部は一旦、カーテン２と反対側（即ち室内中央側）に進行して反射部１４に照射する。反射部１４は受光した光をカーテン２側へ反射する（図２のｃで示す光）。以上のように、ＬＥＤランプ１１の光は直接カーテン２を照明するとともに、反射部１４を介してカーテン２を照明する。このようにカーテン２を照明することによって室内を間接的に照明する。この例では、ＬＥＤランプ１１の点灯制御は、室内に設けられる室内照明装置（直接照明装置。図示せず）の点灯制御と連動して行う。なお、間接照明装置１用の点灯制御スイッチを新たに設けて間接照明装置１と室内照明装置を別個に点灯制御することとしてもよい。
保持部材１０の底壁部１０ｃの外側には放熱部１５が設けられている。放熱部１５は保持部材１０と同一の材料で保持部材１０と一体的に形成されているため、効率的にＬＥＤランプ１１の熱を放射する。このＬＥＤランプ１１は大電流駆動型であり、２０個使用されるため、一般的なＬＥＤランプを使用する場合よりも装置の全体の発熱量が多い。しかし、放熱部１５により効率的に放熱されるため、装置の過熱が防止でき、装置の信頼性が向上する。また、放熱部１５の放熱フィン１５ａは底壁部１０ｃに平行に形成されているため、塵埃等が放熱フィン１５ａの間に堆積しにくい。これにより、防塵効果に優れる。一方、レンズ１３の外側面にはシボ加工が施されている。これにより、レンズ１３を透過して外部に放出された光は拡散する。その結果、放出光の輝度ムラが軽減される。
【００１７】
本実施例では、間接照明装置１をカーテンレースボックス４内に設置して、カーテン２に光を上方から照射したがこれに限定されず、本発明の間接照明装置を室内の床近傍に設けて下方からカーテンを照射することにしてもよい。また、間接照明装置１ではカーテン２に光を照射して間接的に室内を照明したが、照明態様はこれに限定されず、室内の壁面に光を照射して間接的に室内を照明することにしてもよい。この場合もカーテンを照明する場合と同様に上方からの照明、下方からの照明のいずれの照明態様を採用してもよい。
【産業上の利用可能性】
【００１８】
本発明の間接照明装置は居室内や自動車室内などの様々な場所での間接照明装置として使用することができる。
【００１９】
この発明は、上記発明の実施の形態及び実施例の説明に何ら限定されるものではない。特許請求の範囲の記載を逸脱せず、当業者が容易に想到できる範囲で種々の変形態様もこの発明に含まれる。  本明細書の中で明示した論文、公開特許公報、及び特許公報などの内容は、その全ての内容を援用によって引用することとする。
【図面の簡単な説明】
【００２０】
【図１】図１は本発明の実施例である間接照明装置１の斜視図である。
【図２】図１におけるＡ−Ａ線断面図である。
【図３】図２の一部拡大図である。
【符号の説明】
【００２１】
１  間接照明装置
２  カーテン
３  壁面
４  カーテンレールボックス
４１  カーテンレール
４２  フック
１０  保持部材
１０ａ  第１側壁部
１０ｂ  第２側壁部
１０ｃ  底壁部
１１  ＬＥＤランプ
１１ａ  光軸
１２  基板
１３  レンズ
１５  放熱部
１５ａ  放熱部基部
１５ｂ  放熱フィン
【図１】
2009283167.tif 000003
【図２】
2009283167.tif 000004
【図３】
2009283167.tif 000005